(57)【特許請求の範囲】
【請求項１】
親扉と子扉とからなる両開きドアであって、
親扉の戸先框には、該戸先框の先端部において、外側表面から戸先框の厚み方向に凹む親側外凹所と内側表面から戸先框の厚み方向に凹む親側内凹所が形成され、
子扉の戸先框には、該戸先框の先端部において、外側表面から戸先框の厚み方向に凹む子側外凹所と内側表面から戸先框の厚み方向に凹む子側内凹所が形成され、
前記親扉の戸先框における親側外凹所と親側内凹所に嵌合する親側端面部材が備えられており、
該端面部材は１枚物の金属板を折り曲げ成形して作成した２カ所の嵌合部と、該２カ所の嵌合部をつなぐ背板部とからなり、
前記子扉の戸先框における子側外凹所と子側内凹所に嵌合する子側端面部材が備えられており、
該端面部材は１枚物の金属板を折り曲げ成形して作成した２カ所の嵌合部と、該２カ所の嵌合部をつなぐ背板部とからなり、
親扉用の親側目板が、前記親側端面部材における前記親側外凹所に嵌合する嵌合部と背板部との間の金属板を二重折り曲げして一体に作成されており、かつ子側外凹所にまで延びており、
子扉用の子側目板が、前記子側端面部材における前記内凹所に嵌合する嵌合部と背板部との間の金属板を二重折り曲げして一体に作成されており、かつ親側内凹所にまで延びている
ことを特徴とする防火ドア。
【請求項２】
前記子側目板は、気密ゴムパッキンを保持する保持溝を有し、前記気密ゴムパッキンの先端部はドアを閉じた状態で親側内凹所に当接するものである
ことを特徴とする請求項１記載の防火ドア。
【発明の詳細な説明】
【技術分野】
【０００１】
本発明は、防火ドアに関する。さらに詳しくは、左右両開きのドアであって建築物内での火災時に延焼を防止する機能を有する防火ドアに関する。
【背景技術】
【０００２】
防火ドアには鋼製のもののほか木製のものも存する。特許文献１の防火ドアは木製であって、防火性能を向上させるため、左右面ドアの召合せ部に、隙間を塞ぐ定規縁を取付けている。この定規縁はドア本体より突出した形で取付けられているが、定規縁自体は木質彫刻を施されたデザイン性の高いものである。
一方、鋼製の防火ドアにも、左右両ドアの召合せ部の隙間を塞ぐため目板を取付ける等の工夫がされている。
【０００３】
図６は鋼製防火ドアの従来例１を示している。
101は親扉で、102はその戸先框である。111は子扉で、112はその戸先框である。表側の目板103は親扉101側の戸先框102の外面に固定され、子扉111側の戸先框112まで延び、両扉間の隙間を塞いでいる。裏側の目板104は子扉111側の戸先框112の外面に固定され、親扉101側の戸先框102まで延び、両扉間の隙間を塞いでいる。
しかるに、この従来例では目板103,104が戸先框102,112の外表面から外部側あるいは内部側に突出しているので、外観上の見映えが良くないという問題がある。
【０００４】
図７は鋼製防火ドアの従来例２を示している。
この従来例では、表側の目板203は親扉101側の戸先框102の表面から突出しないように面一に取付けられ、一方、子扉111の戸先框112には凹み205が設けられて、目板203の先端は凹み205内に収まるようになっている。
同様に裏側の目板204は子扉111側の戸先框112に面一に取付けられ、親扉101の戸先框102に設けた凹み206内に収まるようになっている。
この従来例２では、目板203,204は出っ張って見えることはない。しかしながら、両扉の中心線ｏが召合せ部の隙間に存するところ、親扉101側の戸先框102の外観寸法（見付Ｗ１）は、目板203の先端が子扉111側まで延びて見え、一方子扉111の戸先框112の外観寸法（見付Ｗ２）は目板が無い分短く見える。このため外観上左右の扉幅が違って見え、人にデザイン的に不安定な印象を与えてしまう。
【０００５】
また、上記従来例１，２では製造上の難点も存する。図６の従来例１の斜視図である図８を例にとって説明する。
戸先框102は断面コ型の外部框部材107と断面コ型の内部框部材108とを突き合せて、断面角筒型に構成されている。この両框部材107,108の突合せ面109は、栓溶接等で接合された後、グラインダー仕上とパテ入れ・パテ磨き等の工数をかけて仕上げが行われる。
このように突合せ面の処理工数が多いので製造コストが高くなる。
【先行技術文献】
【特許文献】
【０００６】
【特許文献１】特開平５−２８０２５９号公報
【発明の概要】
【発明が解決しようとする課題】
【０００７】
本発明は上記事情に鑑み、外観上の見映えが良く製造コストも低くてすむ防火ドアを提供することを目的とする。
【課題を解決するための手段】
【０００８】
第１発明の防火ドアは、親扉と子扉とからなる両開きドアであって、親扉の戸先框には、該戸先框の先端部において、外側表面から戸先框の厚み方向に凹む親側外凹所と内側表面から戸先框の厚み方向に凹む親側内凹所が形成され、子扉の戸先框には、該戸先框の先端部において、外側表面から戸先框の厚み方向に凹む子側外凹所と内側表面から戸先框の厚み方向に凹む子側内凹所が形成され、前記親扉の戸先框における親側外凹所と親側内凹所に嵌合する親側端面部材が備えられており、該端面部材は１枚物の金属板を折り曲げ成形して作成した２カ所の嵌合部と、該２カ所の嵌合部をつなぐ背板部とからなり、前記子扉の戸先框における子側外凹所と子側内凹所に嵌合する子側端面部材が備えられており、
該端面部材は１枚物の金属板を折り曲げ成形して作成した２カ所の嵌合部と、該２カ所の嵌合部をつなぐ背板部とからなり、親扉用の親側目板が、前記親側端面部材における前記親側外凹所に嵌合する嵌合部と背板部との間の金属板を二重折り曲げして一体に作成されており、かつ子側外凹所にまで延びており、子扉用の子側目板が、前記子側端面部材における前記子側内凹所に嵌合する嵌合部と背板部との間の金属板を二重折り曲げして一体に作成されており、かつ親側内凹所にまで延びていることを特徴とする。
第２発明の防火ドアは、第１発明において、前記子側目板は、気密ゴムパッキンを保持する保持溝を有し、前記気密ゴムパッキンの先端部はドアを閉じた状態で親側内凹所に当接するものであることを特徴とする。
【発明の効果】
【０００９】
第１発明によれば、つぎの効果を奏する。
ａ）親側目板が両扉の戸先框に形成された親側外凹所と子側外凹所に収まり、同様に子側目板が両扉の戸先框に形成された子側内凹所と親側内凹所に収まっているので、目板が外側に出っ張らず戸先框と面一になるので外観上の見映えがよい。
ｂ）また、目板は両扉の戸先框と別体であるので両扉の戸先框の框見付を同一寸法にできる。このため、框の左右寸法の不均一を解消でき、左右均等幅の框にして扉デザインを良好にできる。
ｃ）親側端面部材の２カ所の嵌合部を親扉の戸先框における親側外凹所と親側内凹所に嵌合すると、背板部が戸先框の端面を覆うことができる。子側端面部材も同様である。このため両扉の端面に突合せ面があっても外観仕上げの必要がないので製作工数を低減でき製造コストを下げることができる。
ｄ）親側目板も子側目板も金属板の折り曲げ加工で作製するので強度が高く、かつ折り曲げ加工によると少ない工数で作製できるので、製作コストを下げることができる。
第２発明によれば、気密仕様のため気密ゴムパッキンを用いても子側見付の保持溝内に収容できるので、外観上の見映えを良くすることができる。
【図面の簡単な説明】
【００１０】
【図１】本発明の第１実施形態に係る防火ドアの召合せ部を示し、（Ａ）は召合せ部断面図、（Ｂ）は端面部材４０，５０の拡大断面図である。
【図２】図１の防火ドアにおける召合せ部の分解斜視図である。
【図３】図２の召合せ部における組立状態斜視図である。
【図４】本発明の第２実施形態に係る防火ドアの一部横断面図である。
【図５】本発明が適用される防火ドアの正面図である。
【図６】従来例１の召合せ部の横断面図である。
【図７】従来例２の召合せ部の横断面図である。
【図８】従来例１の召合せ部の斜視図である。
【発明を実施するための形態】
【００１１】
つぎに、本発明の実施形態を図面に基づき説明する。
まず、本発明が適用される防火ドアＡの基本構造を説明する。
図５は左右両開きのドアをもち、耐熱ガラスＧを嵌めている窓付きタイプの防火ドアＡを示している。このドアは親扉１と子扉２とからなる。各扉１，２は、いずれも戸先框１１と吊元框１２と、それらを連結する上框１３と下框１４とで四角形の枠組に構成されている。１５は親扉１の戸先框１１に取付けられたドアハンドルである。
両扉１，２の戸先框１１，１１を含む部分を召合せ部Ｂという。
【００１２】
本発明の特徴は召合せ部Ｂにあり、その構造を図１〜図３に基づき説明する。
図１および図２に示すように、親扉１の戸先框１１は、２本の型材２１，２２を対向して配設し、２本の型材２１，２２のまわりを取り囲むように配置した２枚の板材２３、２４とから断面四角形の枠体に構成されている。２枚の板材２３，２４は、型材２１，２２に密着するように折り曲げ成形されており、互いの突合せ面２５（図２参照）は栓溶接などで接合されている。この戸先框１１の先端部では、外側表面から厚み方向に凹む親側外凹所２６と内側表面から厚み方向に凹む親側内凹所２７が形成されている。
【００１３】
子扉２の戸先框１１は、２本の型材３１，３２を対向して配設し、２本の型材３１，３２のまわりを取り囲むように配置した２枚の板材３３，３４とから断面四角形の枠体に構成されている。２枚の板材３３，３４は型材３１，３２に密着するように折り曲げ成形されており、互いの突合せ面は栓溶接などで接合されている。この戸先框１１の先端部では、外側表面から厚み方向に凹む子側外凹所３６と内側表面から厚み方向に凹む子側内凹所３７が形成されている。
【００１４】
図２に基づき、さらに詳細を説明する。
符号４０は、親扉１の戸先框１１における親側外凹所２６と親側内凹所２７に嵌合する親側端面部材である。この端面部材４０は１枚物の金属板を折り曲げ成形して作成した２カ所の嵌合部４１，４２と、この２カ所の嵌合部をつなぐ背板部４３とを有する。さらに、親側目板４４が、親側端面部材４０における一方の嵌合部４１と背板部４３との間の金属板を二重折り曲げして一体に形成されている。
【００１５】
符号５０は、子扉２の戸先框１１における子側外凹所３６と子側内凹所３７に嵌合する子側端面部材である。この端面部材５０は１枚物の金属板を折り曲げ成形して作成した２カ所の嵌合部５１，５２と、この２カ所の嵌合部をつなぐ背板部５３とを有する。さらに、子側目板５４が、子側端面部材５０における一方の嵌合部５１，５２と背板部５３との間の金属板を二重折り曲げして一体に形成されている。
【００１６】
上記した親側目板４４も子側目板５４も召合せ部の隙間を隠すための部材である。そして、親扉用の親側目板４４は、端面部材４０の嵌合部４１，４２を嵌めて親側外凹所２６に固定され、かつ子側外凹所３６にまで延びるように取付けられる。子扉用の子側目板５４は、端面部材５０の嵌合部５１，５２を嵌めて子側内凹所３７に固定され、かつ親側内凹所２７にまで延びるように取付けられる。
【００１７】
つぎに、本発明の防火ドアの利点を説明する。
（１）図１に示すように、親側目板４４が両扉の戸先框１１に形成された親側外凹所２６と子側外凹所３６に収まり、同様に子側目板５４が両扉の戸先框１１に形成された子側内凹所３７と親側内凹所２７に収まっているので、目板４４，５４が出っ張らず戸先框１１と面一になるので外観上の見映えがよい。
また、目板４４，５４は両扉の戸先框１１と別体であるので両扉の戸先框１１の框見付Ｗ１，Ｗ２を同一寸法にできる。このため、框の左右不均一を解消でき、左右均等幅の框にして扉デザインを良好にできる。
【００１８】
（２）図３に示すように親側端面部材４０の２カ所の嵌合部４１，４２を親扉１の戸先框１１における親側外凹所２６と親側内凹所２７に嵌合すると、背板部４３が戸先框１１の端面を覆うことができる。子側端面部材５０も同様である。このため両扉の端面に突合せ部２５に溶接跡等（図２参照）があってもダラインダ等を用いた外観仕上げの必要がないので製作工数を低減でき製造コストを下げることができる。
【００１９】
（３）親側目板４４も子側目板５４も金属板の折り曲げ加工で作製するので強度が高く、かつ折り曲げ加工によると少ない工数で作製できるので、製作コストを下げることができる。
【００２０】
（第２実施形態）
図４に基づき、第２実施形態の防火ドアを説明する。
第２実施形態では、子側目板５４は、気密ゴムパッキン６０を保持する保持溝を有する構造としている。この構造は、親側内凹所２７、子側内凹所３７の凹み深さを深くすることで採用できる。そして、気密ゴムパッキン６０の先端部はドアを閉じた状態で親側内凹所２７に当接するので閉扉時の気密性を確保できる。
【符号の説明】
【００２１】
Ｇ    耐熱ガラス
Ａ    防火ドア
Ｂ    召合せ部
Ｗ１、Ｗ２  框見付
１    親扉
２    子扉
１１  戸先框
２１，２２  型材
２３，２４  板材
２５  突合せ面
２６  親側外凹所
２７  親側内凹所
３１，３２  型材
３３，３４  板材
３６  子側外凹所
３７  子側内凹所
４０  親側端面部材
４３  背板部
４４  親側目板
５０  子側端面部材
５３  背板部
５４  子側目板
【図１】
0006472215.tif 000002
【図２】
0006472215.tif 000003
【図３】
0006472215.tif 000004
【図４】
0006472215.tif 000005
【図５】
0006472215.tif 000006
【図６】
0006472215.tif 000007
【図７】
0006472215.tif 000008
【図８】
0006472215.tif 000009